(57)【要約】【課題】シール材をカップフランジ部の上面から剥離して、カップ本体の上端開口を開放したときに、内容液が飛散するのを抑える。【解決手段】カップ本体Ｗ１が内側に挿入される周壁１４を有する囲繞筒１１と、カップフランジ部Ｗ２が差し込まれる差込部１２と、を備え、囲繞筒の周壁は、上下方向から見て、径方向のうちの一方向である前方に向けて開口したＣ字状を呈するとともに、差込部の差込口２１は前方に向けて開口し、囲繞筒の周壁の下端開口縁が接地面Ｌに接地する接地部１６とされ、囲繞筒、および差込部のうちの少なくとも一方は、カップ容器Ｗを、接地部に沿う接地面方向に対して傾斜させた状態で保持することにより、カップホルダー１に装着された状態におけるカップ本体の中心軸線を上方に向かうに従い、後方に向けて延在させる。【選択図】図３
2020100413.tif 000002
【特許請求の範囲】
【請求項１】
内容液が収容されたカップ本体と、
前記カップ本体の上端部からカップ径方向の外側に向けて突出したカップフランジ部と、
前記カップフランジ部の上面に剥離可能に貼着されて前記カップ本体の上端開口を閉塞したシール材と、を備えるカップ容器を保持するカップホルダーであって、
前記カップ本体が内側に挿入される周壁を有する囲繞筒と、
前記カップフランジ部が差し込まれる差込部と、を備え、
前記囲繞筒の周壁は、上下方向から見て、径方向のうちの一方向である前方に向けて開口したＣ字状を呈するとともに、前記差込部の差込口は前方に向けて開口し、
前記囲繞筒の周壁の下端開口縁が接地面に接地する接地部とされ、
前記囲繞筒、および前記差込部のうちの少なくとも一方は、前記カップ容器を、前記接地部に沿う接地面方向に対して傾斜させた状態で保持することにより、前記カップホルダーに装着された状態における前記カップ本体の中心軸線を、上方に向かうに従い、後方に向けて延在させる、カップホルダー。
【請求項２】
前記差込部は、上下方向に間隔をあけて配設された上壁および下壁を備え、
前記囲繞筒は、前記周壁の下端開口を閉塞する底壁を有し、
前記上壁の下面が、前記カップフランジ部の上面に当接し、かつ前記囲繞筒の底壁の上面が、前記カップ本体の底部に当接することで、前記カップ容器を保持する、請求項１に記載のカップホルダー。
【請求項３】
前記囲繞筒の底壁の上面は、後方に向かうに従い、下方に向けて延びている、請求項２に記載のカップホルダー。
【請求項４】
前記囲繞筒の周壁に、前後方向に貫き、指を差込可能な押出孔が形成されている、請求項１から３のいずれか１項に記載のカップホルダー。
【請求項５】
前記カップフランジ部の上面から剥離され、後方に折り返された前記シール材の前端部が係止可能な係止部を備える、請求項１から４のいずれか１項に記載のカップホルダー。
【発明の詳細な説明】
【技術分野】
【０００１】
本発明は、カップホルダーに関するものである。
【背景技術】
【０００２】
従来から、内容液が収容されたカップ本体と、カップ本体の上端部からカップ径方向の外側に向けて突出したカップフランジ部と、カップフランジ部の上面に剥離可能に貼着されてカップ本体の上端開口を閉塞したシール材と、を備えるカップ容器が知られている。
この種のカップ容器として、例えば下記特許文献１に示されるような、カップ本体が、上面視で楕円形状を呈し、かつ弾性変形可能に形成され、シール材が変形可能に形成された構成が知られている。このカップ容器では、カップ本体を、カップ径方向のうちの長軸方向に押圧して、シール材を変形させながら、カップ本体の上面視形状を円形状に変形させた状態で、シール材をカップフランジ部の上面から剥離すると、内容液の飛散を抑えることができる。
【先行技術文献】
【特許文献】
【０００３】
【特許文献１】特開平１０−３２４３６９号公報
【発明の概要】
【発明が解決しようとする課題】
【０００４】
しかしながら、従来のカップ容器では、カップ本体をカップ径方向に押圧した状態で、シール材をカップフランジ部の上面から剥離するので、カップ本体の上端開口が開放されたときに、カップ本体が追加的に押し込まれて変形し、内容液がカップ本体から溢れ出すおそれがあった。
【０００５】
本発明は、このような事情を考慮してなされたもので、シール材をカップフランジ部の上面から剥離して、カップ本体の上端開口を開放したときに、内容液が飛散するのを抑えることができるカップホルダーを提供することを目的とする。
【課題を解決するための手段】
【０００６】
上記課題を解決して、このような目的を達成するために、本発明のカップホルダーは、内容液が収容されたカップ本体と、前記カップ本体の上端部からカップ径方向の外側に向けて突出したカップフランジ部と、前記カップフランジ部の上面に剥離可能に貼着されて前記カップ本体の上端開口を閉塞したシール材と、を備えるカップ容器を保持するカップホルダーであって、前記カップ本体が内側に挿入される周壁を有する囲繞筒と、前記カップフランジ部が差し込まれる差込部と、を備え、前記囲繞筒の周壁は、上下方向から見て、径方向のうちの一方向である前方に向けて開口したＣ字状を呈するとともに、前記差込部の差込口は前方に向けて開口し、前記囲繞筒の周壁の下端開口縁が接地面に接地する接地部とされ、前記囲繞筒、および前記差込部のうちの少なくとも一方は、前記カップ容器を、前記接地部に沿う接地面方向に対して傾斜させた状態で保持することにより、前記カップホルダーに装着された状態における前記カップ本体の中心軸線を、上方に向かうに従い、後方に向けて延在させる。
【０００７】
この発明によれば、囲繞筒、および差込部のうちの少なくとも一方が、カップ容器を、接地部に沿う接地面方向に対して傾斜させた状態で保持することにより、カップホルダーに装着された状態におけるカップ本体の中心軸線を上方に向かうに従い、後方に向けて延在させるので、カップ容器を保持し、接地部を接地面に接地した状態（以下、セット状態という）で、カップ本体内に収容された内容液の液面の前端部を、カップ本体の上端開口の前端部から下方に離間させ、かつカップ本体の内周面の前端部、およびシール材の下面の前端部に付着した内容液を後方に移動させることが可能になる。したがって、セット状態で、カップ本体の上端開口の前端部から内容液を離間させることが可能になり、シール材の前端部をカップ本体から引き上げて、カップ本体の上端開口を開放したときに、カップ本体内の内容液が、カップ本体の上端開口の前端部から飛び出すのを抑制することができる。
セット状態で、カップ本体が、囲繞筒の周壁により囲繞されるので、シール材をカップフランジ部の上面から剥離するときに、カップ本体ではなく囲繞筒を摘まむことが可能になる。したがって、シール材をカップフランジ部の上面から剥離して、カップ本体の上端開口を開放したときの、カップ本体の剛性低下に起因して、カップ本体がカップ径方向に押し込まれて潰されるのを防ぐことが可能になり、内容液がカップ本体から溢れ出るのを抑制することができる。
囲繞筒の周壁が、上下方向から見て、前方に向けて開口したＣ字状を呈し、かつ差込部の差込口が、前方に向けて開口しているので、カップ容器をカップホルダーに対して相対的に後退移動させることで、カップ本体を囲繞筒内に挿入し、かつカップフランジ部を差込部に差し込むことが可能になり、カップ容器をカップホルダーに容易にセットすることができる。
【０００８】
ここで、前記差込部は、上下方向に間隔をあけて配設された上壁および下壁を備え、前記囲繞筒は、前記周壁の下端開口を閉塞する底壁を有し、前記上壁の下面が、前記カップフランジ部の上面に当接し、かつ前記囲繞筒の底壁の上面が、前記カップ本体の底部に当接することで、前記カップ容器を保持してもよい。
【０００９】
この場合、上壁の下面が、カップフランジ部の上面に当接し、かつ囲繞筒の底壁の上面が、カップ本体の底部に当接することで、カップ容器を、前述のように傾斜させた状態で保持するので、カップ容器の全体が上下方向に挟まれて保持されることとなり、カップホルダーに対してカップ容器の姿勢および位置を安定させることができる。
例えば、カップホルダーのうちの差込部のみが、カップ容器を保持する場合、内容液の重さなどによりカップフランジ部が変形するなどして、カップホルダーに対してカップ容器の姿勢および位置が安定しないおそれがある。
【００１０】
また、前記囲繞筒の底壁の上面は、後方に向かうに従い、下方に向けて延びてもよい。
【００１１】
この場合、囲繞筒の底壁の上面が、後方に向かうに従い、下方に向けて延びていて、このように傾斜した上面に、カップ本体の底部が当接するので、囲繞筒の底壁の上面とカップ本体の底部との接触面積を確保することが可能になり、カップホルダーに対してカップ容器の姿勢および位置を確実に安定させることができる。
【００１２】
また、前記囲繞筒の周壁に、前後方向に貫き、指を差込可能な押出孔が形成されてもよい。
【００１３】
この場合、囲繞筒の周壁に、前後方向に貫き、指を差込可能な押出孔が形成されているので、カップ本体内の内容液を注出した後に、押出孔に指を差し込み、指でカップ本体を前方に押込んでカップ容器をカップホルダーから押出すことが可能になる。したがって、カップフランジ部およびシール材に触れずに、カップ容器をカップホルダーから離脱することが可能になり、この離脱時に手に内容液が付着するのを防ぐことができる。
【００１４】
また、前記カップフランジ部の上面から剥離され、後方に折り返された前記シール材の前端部が係止可能な係止部を備えてもよい。
【００１５】
この場合、カップフランジ部の上面から剥離され、後方に折り返されたシール材の前端部が係止可能な係止部を備えるので、カップ本体の上端開口を開放した後、後方に折り返したシール材の前端部を係止部に係止することが可能になり、内容液を注出する際に、シール材が復元変形して邪魔になるのを防ぐことができる。
【発明の効果】
【００１６】
本発明によれば、シール材をカップフランジ部の上面から剥離して、カップ本体の上端開口を開放したときに、内容液が飛散するのを抑えることができる。
【図面の簡単な説明】
【００１７】
【図１】本発明に係る一実施形態として示したカップホルダーを前方から見た図である。
【図２】図１のカップホルダーの上面図である。
【図３】図１および図２のカップホルダーに、カップ容器が保持され、かつシール材の前端部が係止部に係止された状態を示す縦断面図である。
【発明を実施するための形態】
【００１８】
以下、図面を参照し、本発明の一実施形態に係るカップホルダー１について説明する。
まず、カップホルダー１が保持するカップ容器Ｗについて説明する。
カップ容器Ｗは、図３に示されるように、カップ本体Ｗ１、カップフランジ部Ｗ２、およびシール材Ｗ３を備えている。
【００１９】
カップ本体Ｗ１は、有底筒状に形成されている。カップ本体Ｗ１の肉厚は、例えば、カップ本体Ｗ１が容易に変形可能な程度の厚さとなっている。カップ本体Ｗ１に内容液Ａが収容されている。
以下、カップ本体Ｗ１の中心軸線に沿って、カップ本体Ｗ１の開口部側を上方といい、カップ本体Ｗ２の底部側を下方という。中心軸線に沿う方向から見て、中心軸線に交差する方向をカップ径方向といい、中心軸線回りに周回する方向をカップ周方向という。
【００２０】
カップフランジ部Ｗ２は、カップ本体Ｗ１の上端部からカップ径方向の外側に向けて突出している。カップフランジ部Ｗ２の上面は、カップ本体Ｗ１の上端開口縁と面一になっている。カップフランジ部Ｗ２のうちのカップ周方向の一部（以下、張出部分という）は、他の部分よりカップ径方向の外側に向けて張り出している。カップフランジ部Ｗ２の張出部分のカップ周方向の大きさは、カップ径方向の外側に向かうに従い、小さくなっている。カップフランジ部Ｗ２の張出部分のカップ径方向の外端部に、破断可能な弱化部が形成されている。
シール材Ｗ３は、例えばアルミニウム合金などの金属箔とされ、カップフランジ部Ｗ２の上面に剥離可能に貼着されてカップ本体Ｗ１の上端開口を閉塞している。シール材Ｗ３は、カップフランジ部Ｗ２の上面のうち、張出部分を含む全域にわたって貼着されている。
【００２１】
カップホルダー１は、図１および図２に示されるように、囲繞筒１１、差込部１２、および係止部１３を備えている。
【００２２】
囲繞筒１１は、有底筒状に形成され、周壁１４、および底壁１５を備えている。
周壁１４は、内周面および外周面が円弧形状に形成された半割筒部１７を備えている。以下、半割筒部１７の下端開口の中心軸線Ｏに沿って、底壁１５側を下方といい、その逆側を上方という。中心軸線Ｏに沿う上下方向から見て、中心軸線Ｏに交差する方向を径方向といい、中心軸線Ｏ回りに周回する方向を周方向という。
周壁１４は、上下方向から見て、径方向のうちの一方向に向けて開口したＣ字状を呈する。以下、上下方向から見て、周壁１４が開口している方向を前方といい、その逆側を後方という。
【００２３】
周壁１４は、半割筒部１７の前端開口縁から各別に前方に向けて延びる一対の直線部１８を備えている。直線部１８は、半割筒部１７の内周面および外周面に段差なく連なっている。直線部１８は、半割筒部１７における上下方向の全長にわたって配設されている。上下方向から見て、直線部１８の長さは、半割筒部１７の内周面の半径より小さくなっている。周壁１４の上面視形状は、中心軸線Ｏと周壁１４の後端縁とを通る直線に対して対称となっている。
【００２４】
周壁１４は、下方に向かうに従い、径方向の内側に向けて延びている。
半割筒部１７の上端開口の中心軸は、上方に向かうに従い、後方に向けて延び、中心軸線Ｏに対して傾斜している。半割筒部１７の内周面は、下端部を除く全域にわたって、上端開口の中心軸を中心とした半円形状に形成されている。
周壁１４の内側にカップ本体Ｗ１が挿入される。この際、カップ本体Ｗ１は、半割筒部１７の上端開口の中心軸と同軸に配設される。周壁１４は、カップ本体Ｗ１の外周面を、半周を超えて径方向の外側から囲っている。
【００２５】
周壁１４の下端開口縁が、接地面Ｌに接地する接地部１６となっている。接地部１６は、全周にわたって上下方向の同じ位置に位置している。接地部１６に沿う接地面方向は、中心軸線Ｏに直交している。
底壁１５は、周壁１４の下端部に配設され、接地部１６より上方に位置しており、周壁１４の下端開口を閉塞している。底壁１５の上面は、後方に向かうに従い、下方に向けて延び、接地部１６に沿う接地面方向に対して傾斜している。底壁１５の下面も後方に向かうに従い、下方に向けて延びている。底壁１５の上面および下面は、半割筒部１７の上端開口の中心軸に直交している。底壁１５から下方に向けた周壁１４の突出量は、前方から後方に向かうに従い、小さくなっている。
【００２６】
周壁１４に、前後方向に貫き、指を差込可能な押出孔１９が形成されている。押出孔１９は、周壁１４のうち、上端部と下端部との間に位置する部分に形成されている。押出孔１９は、前後方向から見て円形状を呈する。押出孔１９の中心は、周壁１４の後端縁に位置している。押出孔１９は、上下方向から見て、中心軸線Ｏを中心に約９０°の角度範囲にわたって配設されている。
【００２７】
差込部１２に、カップフランジ部Ｗ２が差し込まれる。差込部１２の差込口２１は前方に向けて開口している。差込部１２は、上下方向に間隔をあけて配設された上壁２２および下壁２３を備えている。
下壁２３は、周壁１４の上端部に配設され、径方向の外側に向けて突出したフランジ状に形成されている。下壁２３は、周壁１４における全周にわたって配設されている。下壁２３の上面は、周壁１４の上端開口縁と面一になっている。下壁２３の上面は、底壁１５の上面とほぼ平行になっている。
【００２８】
上壁２２は、下壁２３の上面のうち、半割筒部１７の上端開口縁から径方向の外側に突出した部分を上方から覆っている。上壁２２は、下壁２３と同様に、周方向に長さを有して径方向に幅を有する板状に形成され、上下方向から見て、前方に向けて開口したＣ字状を呈するように湾曲している。上壁２２の内周縁は、中心軸線Ｏを中心とする円弧形状に形成されている。上壁２２の内周縁、および半割筒部１７の上端部の内周面それぞれの径方向の位置は互いに同等になっている。上壁２２および下壁２３の上面視形状は、中心軸線Ｏと周壁１４の後端縁とを通る直線に対して対称となっている。上壁２２の下面は、底壁１５の上面とほぼ平行になっている。
上壁２２および下壁２３それぞれの径方向の外端部同士は、連結壁２４により連結されている。
【００２９】
係止部１３は、カップフランジ部Ｗ２の上面から剥離され、後方に折り返されたシール材Ｗ３の前端部を係止する。
係止部１３は、上壁２２の上面との間に上下方向の隙間を設けた状態で配設されている。係止部１３の下面は、底壁１５の上面とほぼ平行になっている。係止部１３は、前後方向および上下方向の双方向に対して直交する左右方向に延びている。係止部１３における左右方向の両端部のうちの一方側の端部は、上壁２２の上面における周方向の中央部の上方に配設されている。係止部１３と上壁２２の上面とは、連結部２５を介して連結されている。連結部２５は、上壁２２の上面における周方向の中央部から離れた位置に配設されている。連結部２５は、係止部１３における左右方向の両端部のうち、上壁２２における周方向の中央部から離れた他方側の端部に連結されている。
【００３０】
以上の構成において、囲繞筒１１の周壁１４の内側に、カップ本体Ｗ１が挿入され、かつ差込部１２に、カップフランジ部Ｗ２が差し込まれた状態で、上壁２２の下面が、カップフランジ部Ｗ２の上面に当接し、かつ底壁１５の上面が、カップ本体Ｗ１の底部に当接することで、カップ本体Ｗ１の中心軸線が上方に向かうに従い、後方に向けて延びるように、カップ容器Ｗが、接地部１６に沿う接地面方向に対して傾斜した状態で保持される。
【００３１】
この際、カップ容器Ｗの上面視形状は、中心軸線Ｏと周壁１４の後端縁とを通る直線に対して対称となり、カップフランジ部Ｗ２の前記張出部分は、カップホルダー１より前方に位置している。図示の例では、半割筒部１７の内周面が、カップ本体Ｗ１の外周面に当接している。
【００３２】
以上説明したように、本実施形態によるカップホルダー１によれば、囲繞筒１１、および差込部１２が、カップ容器Ｗを、接地部１６に沿う接地面方向に対して傾斜させた状態で保持することにより、カップホルダー１に装着された状態におけるカップ本体Ｗ１の中心軸線を上方に向かうに従い、後方に向けて延在させるので、図３に示されるように、カップ容器Ｗを保持し、接地部１６を接地面Ｌに接地した状態（以下、セット状態という）で、カップ本体Ｗ１内に収容された内容液Ａの液面の前端部を、カップ本体Ｗ１の上端開口の前端部から下方に離間させ、かつカップ本体Ｗ１の内周面の前端部、およびシール材Ｗ３の下面の前端部に付着した内容液Ａを後方に移動させることが可能になる。
【００３３】
したがって、セット状態で、カップ本体Ｗ１の上端開口の前端部から内容液Ａを離間させることが可能になり、シール材Ｗ３の前端部をカップ本体Ｗ１から引き上げて、カップ本体Ｗ１の上端開口を開放したときに、カップ本体Ｗ１内の内容液Ａが、カップ本体Ｗ１の上端開口の前端部から飛び出すのを抑制することができる。
【００３４】
セット状態で、カップ本体Ｗ１が、囲繞筒１１の周壁１４により囲繞されるので、シール材Ｗ３をカップフランジ部Ｗ２の上面から剥離するときに、カップ本体Ｗ１ではなく囲繞筒１１を摘まむことが可能になる。したがって、シール材Ｗ３をカップフランジ部Ｗ２の上面から剥離して、カップ本体Ｗ１の上端開口を開放したときの、カップ本体Ｗ１の剛性低下に起因して、カップ本体Ｗ１がカップ径方向に押し込まれて潰されるのを防ぐことが可能になり、内容液Ａがカップ本体Ｗ１から溢れ出るのを抑制することができる。
【００３５】
囲繞筒１１の周壁１４が、上下方向から見て、前方に向けて開口したＣ字状を呈し、かつ差込部１２の差込口２１が、前方に向けて開口しているので、カップ容器Ｗをカップホルダー１に対して相対的に後退移動させることで、カップ本体Ｗ２を囲繞筒１１内に挿入し、かつカップフランジ部Ｗ２を差込部１２に差し込むことが可能になり、カップ容器Ｗをカップホルダー１に容易にセットすることができる。
【００３６】
上壁２２の下面が、カップフランジ部Ｗ２の上面に当接し、かつ囲繞筒１１の底壁１５の上面が、カップ本体Ｗ１の底部に当接することで、カップ容器Ｗを、前述のように傾斜させた状態で保持するので、カップ容器Ｗの全体が上下方向に挟まれて保持されることとなり、カップホルダー１に対してカップ容器Ｗの姿勢および位置を安定させることができる。
【００３７】
囲繞筒１１の底壁１５の上面が、後方に向かうに従い、下方に向けて延びていて、このように傾斜した上面に、カップ本体Ｗ１の底部が当接するので、囲繞筒１１の底壁１５の上面とカップ本体Ｗ１の底部との接触面積を確保することが可能になり、カップホルダー１に対してカップ容器Ｗの姿勢および位置を確実に安定させることができる。
【００３８】
囲繞筒１１の周壁１４に、前後方向に貫き、指を差込可能な押出孔１９が形成されているので、カップ本体Ｗ１内の内容液Ａを注出した後に、押出孔１９に指を差し込み、指でカップ本体Ｗ１を前方に押込んでカップ容器Ｗをカップホルダー１から押出すことが可能になる。したがって、カップフランジ部Ｗ２およびシール材Ｗ３に触れずに、カップ容器Ｗをカップホルダー１から離脱することが可能になり、この離脱時に手に内容液Ａが付着するのを防ぐことができる。
【００３９】
カップフランジ部Ｗ２の上面から剥離され、後方に折り返されたシール材Ｗ３の前端部が係止可能な係止部１３を備えるので、カップ本体Ｗ１の上端開口を開放した後、後方に折り返したシール材Ｗ３の前端部を係止部１３に係止することが可能になり、内容液Ａを注出する際に、シール材Ｗ３が復元変形して邪魔になるのを防ぐことができる。
【００４０】
本発明は上記した実施の形態に限定されるものではなく、その趣旨を逸脱しない範囲で適宜変更可能である。
【００４１】
例えば前記実施形態では、上壁２２の下面が、カップフランジ部Ｗ２の上面に当接し、かつ底壁１５の上面が、カップ本体Ｗ１の底部に当接することで、カップホルダー１に装着された状態におけるカップ本体Ｗ１の中心軸線が上方に向かうに従い、後方に向けて延びるように、カップ容器Ｗが、接地部１６に沿う接地面方向に対して傾斜した状態で保持される構成を示したが、囲繞筒１１、および差込部１２のうちのいずれか一方のみが、カップ容器Ｗを前述のように傾斜させた状態で保持する構成を採用してもよい。
例えば、上壁２２、および下壁２３が、カップフランジ部Ｗ２の上下面に当接することで、カップ容器Ｗが前述のように傾斜した状態で保持されてもよい。
【００４２】
周壁１４として、半割筒部１７の前端開口縁から各別に前方に向けて延びる一対の湾曲部を備える構成などを採用してもよい。上下方向から見て、この湾曲部、および半割筒部１７の各曲率半径を互いに同等にしてもよい。
係止部１３を有する構成を示したが、係止部１３は設けなくてもよい。
係止部１３は、例えば、周壁１４の外周面などに配設してもよい。
【００４３】
底壁１５の上面を、後方に向かうに従い、下方に向けて延びるように、接地部１６に沿う接地面方向に対して傾斜させたが、底壁１５の上面を、全域にわたって上下方向の同じ位置に位置させて、囲繞筒１１の底壁１５の上面に、後方に向かうに従い、突出高さが低くなる突リブを形成し、この突リブ上にカップ本体Ｗ１の底部を当接させる構成を採用してもよい。
この構成に代えて、囲繞筒１１の底壁１５の上面における前側部分に、突起を形成し、この突起、および囲繞筒１１の底壁１５の上面における後側部分に、カップ本体Ｗ１の底部を当接させる構成を採用してもよい。
【００４４】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００４５】
１  カップホルダー
１１  囲繞筒
１２  差込部
１３  係止部
１４  周壁
１５  底壁
１６  接地部
１９  押出孔
２１  差込口
２２  上壁
２３  下壁
Ｌ  接地面
Ｗ  カップ容器
Ｗ１  カップ本体
Ｗ２  カップフランジ部
Ｗ３  シール材
【図１】
2020100413.tif 000003
【図２】
2020100413.tif 000004
【図３】
2020100413.tif 000005